(57)【特許請求の範囲】
【請求項１】
排熱により温められた温水を循環する一次側温水循環流路と、温水を貯えるための貯湯槽と、前記貯湯槽の温水を循環する二次側温水循環流路と、前記一次側温水循環流路を流れる温水と前記二次側温水循環流路を流れる温水との間で熱交換するための熱交換器と、前記貯湯槽の温水を給湯する給湯流路と、貯湯システムを制御するためのシステム制御手段と、を具備する貯湯システムであって、
前記貯湯槽の上部及び下部には、収容された温水の温度を検出するための第１及び第２温度センサが設けられており、
通常運転のときには、前記システム制御手段は前記第２温度センサの検知温度が第１高温度となるように貯湯システムを制御し、
前記給湯流路を通しての温水の給湯が所定時間継続して行われなく、且つ前記第１温度センサの検知温度が設定低温度以下になると、前記システム制御手段は貯湯システムを水質維持運転し、
また前記水質維持運転において前記第２温度センサの検知温度が前記第１高温度よりも高い第２高温度に達すると、前記システム制御手段は前記水質維持運転を停止することを特徴とする貯湯システム。
【請求項２】
前記排熱にて温められた温水とは、コージェネ装置を冷却するための冷却水であり、前記コージェネ装置にて発生した電力でもって温水を加熱するための加熱ヒータが設けられており、前記水質維持運転のときには、前記システム制御手段は前記コージェネ装置及び前記加熱ヒータを水質維持運転することを特徴とする請求項１に記載の貯湯システム。
【請求項３】
前記排熱にて温められた温水とは、コージェネ装置を冷却するための冷却水であり、前記コージェネ装置にて発生した電力でもって温水を加熱するための加熱ヒータが設けられ、更に、前記二次側温水循環流路を流れる温水を加熱するための補助バーナが配設されており、前記水質維持運転のときには、前記システム制御手段は前記コージェネ装置、前記加熱ヒータ及び前記補助バーナを水質維持運転することを特徴とする請求項１に記載の貯湯システム。
【発明の詳細な説明】
【０００１】
【発明の属する技術分野】
本発明は、貯湯タンクに貯えた温水を給湯する貯湯システムに関する。
【０００２】
【従来の技術】
例えば、温水を給湯する貯湯システムとして、コージェネ装置、例えばエンジンと発電機とを組み合わせたものを利用したシステムが提案されている。一例としての貯湯システムは、コージェネ装置（例えば、エンジンと発電機とを組み合わせたもの）と、コージェネ装置の冷却水を循環する冷却水循環流路と、温水を貯えるための貯湯槽と、貯湯槽の温水を循環する温水循環流路と、冷却水循環流路を流れる冷却水と温水循環流路を流れる温水との間で熱交換するための熱交換器と、貯湯槽の温水を給湯する給湯流路とを備えている。給湯流路には、例えばカランが接続され、カランを開栓すると、貯湯槽内の温水が給湯流路を通してカランから出湯する。
【０００３】
【発明が解決しようとする課題】
このような貯湯システムにおいては、定期的に給湯流路を通して温水を使用すると、貯湯槽内の温水が入れ替わり、長期にわたって良質な水質を維持することができる。ところが、長期の出張、旅行等で温水を使用しないと、温められた温水が新しいものと入れ替わることがなく、このような状態で温水が貯湯槽内で長期に保持されると、貯湯槽内の水質が低下するおそれがある。それ故に、長期にわたって温水を使用しない場合、貯湯槽の温水を手動で排水して新しい水と入れ替え、その後この貯湯システムを運転する必要があり、その運転操作が煩雑になる。
【０００４】
本発明の目的は、長期にわたって温水を使用しないときにも排水することなく貯湯槽の温水を良質な状態に維持することができる貯湯システムを提供することである。
【０００５】
【課題を解決するための手段】
本発明は、排熱により温められた温水を循環する一次側温水循環流路と、温水を貯えるための貯湯槽と、前記貯湯槽の温水を循環する二次側温水循環流路と、前記一次側温水循環流路を流れる温水と前記二次側温水循環流路を流れる温水との間で熱交換するための熱交換器と、前記貯湯槽の温水を給湯する給湯流路と、貯湯システムを制御するためのシステム制御手段と、を具備する貯湯システムであって、
前記貯湯槽の上部及び下部には、収容された温水の温度を検出するための第１及び第２温度センサが設けられており、
通常運転のときには、前記システム制御手段は前記第２温度センサの検知温度が第１高温度となるように貯湯システムを制御し、
前記給湯流路を通しての温水の給湯が所定時間継続して行われなく、且つ前記第１温度センサの検知温度が設定低温度以下になると、前記システム制御手段は貯湯システムを水質維持運転し、
また前記水質維持運転において前記第２温度センサの検知温度が前記第１高温度よりも高い第２高温度に達すると、前記システム制御手段は前記水質維持運転を停止することを特徴とする。
【０００６】
本発明に従えば、温水の給湯が所定時間（例えば３０〜５０時間程度に設定される）継続して行われず、且つ貯湯槽の上部の第１温度センサの検知温度が設定低温度以下になると、システム制御手段は貯湯システムの水質維持運転を行う。このように貯湯槽の温水の温度が設定低温度以下に低下したときに水質維持運転を行うことによって、貯湯槽内での水質の低下が抑えられ、長期にわたって温水を良質な状態に維持することができる。この水質維持運転とは、温水を使用しない場合においても貯湯システムを作動させて貯湯槽の温水を水質低下し難い温度に上昇させるための運転である。また、水質維持運転のときには、貯湯槽の温水の温度が、通常運転のときの第１高温度よりも高い第２高温度に達するように加熱され、貯湯槽の下部の第２温度センサの検知温度が第２高温度になると、この水質維持運転が停止される。このように水質維持運転を行うと、貯湯槽の温水が第２高温度、即ち水質低下し難い温度まで上昇され、かくして、水質低下を一層効果的に抑えて良質な水質の維持を図ることができる。
【００１１】
また、本発明では、前記排熱にて温められた温水とは、コージェネ装置を冷却するための冷却水であり、前記コージェネ装置にて発生した電力のでもって温水を加熱するための加熱ヒータが設けられており、前記水質維持運転のときには、前記システム制御手段は前記コージェネ装置及び前記加熱ヒータを水質維持運転することを特徴とする。
【００１２】
本発明に従えば、排熱としてコージェネ装置の冷却水が利用され、水質維持運転では、システム制御手段は、コージェネ装置及びこのコージェネ装置にて発生した電力を利用する加熱ヒータを水質維持運転する。コージェネ装置とは、例えば、エンジンと発電機を組み合わせたもの、燃料電池等であり、これらコージェネ装置においては、排熱により温められる温水としての冷却水と電力とが発生される。水質維持運転では、コージェネ装置と加熱ヒータが作動され、コージェネ装置により発生する冷却水の熱及びコージェネ装置により発生した電力により作動される加熱ヒータの熱を利用して貯湯槽の温水が上昇される。尚、加熱ヒータは、貯湯槽、一次側温水循環流路及び二次側温水循環流路のいずれかに配設することができる。
【００１３】
更に、本発明では、前記排熱にて温められた温水とは、コージェネ装置を冷却するための冷却水であり、前記コージェネ装置にて発生した電力でもって温水を加熱するための加熱ヒータが設けられ、更に、前記二次側温水循環流路を流れる温水を加熱するための補助バーナが配設されており、前記水質維持運転のときには、前記システム制御手段は前記コージェネ装置、前記加熱ヒータ及び前記補助バーナを水質維持運転することを特徴とする。
【００１４】
本発明に従えば、排熱としてコージェネ装置の冷却水が利用され、コージェネ装置の電力でもって温水を加熱する加熱ヒータが設けられるとともに、二次側温水循環流路を流れる温水を加熱する補助バーナが配設される。水質維持運転では、システム制御手段は、コージェネ装置、加熱ヒータ及び補助バーナを水質維持運転する。この水質維持運転では、例えば、コージェネ装置、加熱ヒータ及び補助バーナが作動され、コージェネ装置により発生する冷却水の熱、コージェネ装置により発生した電力により作動される加熱ヒータの熱及び補助バーナによる燃焼熱を利用して貯湯槽の温水が上昇される。水質維持運転の他の例では、補助バーナが作動され、補助バーナの燃焼熱を利用して貯湯槽の温水が上昇される。この場合には、利用するのが補助バーナの燃焼熱のみであるので、簡単な運転制御でもって水質維持運転を行うことができる。このような貯湯システムでも、加熱ヒータは、貯湯槽、一次側温水循環流路及び二次側温水循環流路のいずれかに配設することができる。
【００１５】
【発明の実施の形態】
以下、添付図面を参照して、本発明に従う貯湯システムの各種実施形態について説明する。図１は、本発明に従う貯湯システムの第１の実施形態を示す簡略図であり、図２は、図１の貯湯システムにおける貯湯槽の温水の温度の変化状態を示す図であり、図３は、図１の貯湯システムにおける水質維持運転の動作を示すフローチャートである。
【００１６】
図１において、図示の貯湯システムは、コージェネ装置２としてエンジン４及びこのエンジン４により駆動される発電機６の組合せと、排熱を温水のかたちで貯める貯湯槽８と、を備えている。エンジン４はガスエンジン、ディーゼルエンジン等でよく、排熱により温められた温水（即ち、温められた冷却水）を生成し、発電機６は電力を生成する。発電機６の出力側には系統連系インバータ１０が接続されている。この系統連系インバータ１０は、発電機６の出力電力を商業用電源１２から供給される電力と同じ電圧及び同じ周波数にするとともに、電力負荷１４に供給されるコージェネ装置２の発電電力を制御する。商業用電源１２は、例えば単相３線式（標準電圧１００Ｖ）であり、配電線１６を介して電力負荷１４、例えばテレビ、冷蔵庫、洗濯機等の各種電気機器に電気的に接続される。コージェネ装置２は分散型発電装置として設置され、インバータ１０は、コージェネ用スイッチ手段１８を介して配電線１６に電気的に接続され、このスイッチ手段１８が閉状態のとき、発電機６にて発生した電力がインバータ１０、コージェネ用スイッチ手段１８及び配電線１６を介して電力負荷１４に供給される。
【００１７】
この実施形態では、配電線１６に逆潮流検出器２０が設けられ、逆潮流検出器２０は配電線１６を流れる電流に逆潮流が生じているか否かを検知し、逆潮流が生じないように、発電機６から系統連系インバータ１０を介して配電線１６に送給される電流が制御される。
【００１８】
エンジン４からの冷却水を循環するための冷却水循環流路２２（一次側温水循環流路を構成する）が設けられているとともに、貯湯槽８の温水を循環させるための温水循環流路２４（二次側温水循環流路を構成する）が設けられている。冷却水循環流路２２には、冷却水循環ポンプ２６及びクーリング装置２８が配設されている。冷却水循環ポンプ２６は冷却水循環流路２２を通して冷却水を循環し、クーリング装置２８は冷却水循環流路２２を通してエンジン４に戻される温水を冷却する。また、温水循環流路２４の一端側は貯湯槽８の底部に接続され、その他端側が貯湯槽８の上部に接続され、貯湯槽８内の温水は、その底部から温水循環流路２４を通してその上部に戻される。この温水循環流路２４には、流路開閉弁３０及び温水循環ポンプ３２が配設されている。流路開閉弁３０が開状態になると、貯湯槽８内の温水の温水循環流路２４を通しての循環が許容され、また温水循環ポンプ３２は貯湯槽８内の温水を温水循環流路２４を通して循環する。
【００１９】
貯湯システムは、更に、熱交換器３４を備えている。熱交換器３４は、冷却水循環流路２２を流れる冷却水と温水循環流路２４を流れる温水との間で熱交換を行い、エンジン２２からの冷却水の熱を利用して温水循環流路２４を流れる温水を加熱し、このようにしてエンジン４の排熱が温水のかたちで貯湯槽８に貯えられる。
【００２０】
貯湯槽８には、水、例えば水道水を供給するための水供給流路３６が接続され、この水供給流路３６に流路開閉弁３８が配設されている。水供給流路３６の一端側は、貯湯槽８の底部に接続され、その他端側は、水道管の如き水供給源（図示せず）に接続される。この水供給流路には流路開閉弁３８及び減圧逆止弁４０が配設され、流路開閉弁３８が開状態になると、水供給流路３８を通して水が貯湯槽８に供給され、また減圧逆止弁４０は貯湯槽８から水供給流路３６側に温水が逆流するのを防止する。
【００２１】
この貯湯槽８には、更に、温水を供給する給湯流路４２が接続されている。給湯流路４２の一端側は貯湯槽８の上部に接続され、その他端側には、１個又は複数個のカラン（図示せず）が接続され、カランを開栓すると、貯湯槽８内の温水が給湯流路４２を通して開栓したカランから出湯する。
【００２２】
この貯湯システムでは、温水を加熱するための加熱ヒータ４４が設けられている。この実施形態では、加熱ヒータ４４は第１及び第２ヒータ４６，４８から構成され、これらヒータ４６，４８が貯湯槽８内に配設されている。インバータ１０と加熱ヒータ４４との間にはヒータ用スイッチ手段５０が配設され、このスイッチ手段５０は、第１及び第２ヒータ４６，４８に対応して設けられた第１及び第２スイッチ５２，５４から構成されている。通常運転の場合において発電機６にて発生する電力が電力負荷１４より大きくなる（換言すると、発生電力が余剰になる）と、逆潮流検出手段２０が逆潮流を検知するようになり、この余剰電力が小さい（又は大きい）ときには、例えば第１スイッチ５２（又は第１及び第２スイッチ５２，５４）が閉状態になり、インバータ１０からの電力が第１スイッチ５２（又は第１及び第２スイッチ５２，５４）を介して第１ヒータ４６（又は第１及び第２ヒータ４６，４８）に供給され、第１ヒータ４６（又は第１及び第２ヒータ４６，４８）が作動して貯湯槽８内の温水を加熱するとともに、逆潮流の発生を防止する。
【００２３】
加熱ヒータ４４は、貯湯槽８に代えて、冷却水循環流路２２（又は温水循環流路２４）に配設するようにしてもよく、冷却水循環流路２２（又は温水循環流路２４）に配設した場合、加熱ヒータ４４は冷却水循環流路２２（又は温水循環流路２４）を流れる冷却水（又は温水）を加熱する。
【００２４】
この貯湯システムは、更に、システム全体を制御するためのシステム制御手段５６を備えている。このシステム制御手段５６は例えばマイクロプロセッサから構成され、時間を計時するタイマ５８及び各種設定値等を記憶するメモリ６０を含んでいる。このメモリ６０には、水質維持運転を開始するときのタイマ設定時間、例えば４８時間が記憶されるとともに、設定低温度Ｔ１並びに第１及び第２高温度Ｔ２，Ｔ３が記憶される。設定低温度Ｔ１は水質維持運転を開始する温度であり、例えば４０℃に設定される。また、第１高温度Ｔ２は貯湯システムの通常運転において温水が達する最高温度であり、例えば７０℃に設定され、通常運転において第１高温度Ｔ２に達すると貯湯槽８内の温水の温度上昇が停止する。更に、第２高温度Ｔ３は貯湯システムの水質維持運転において温水が達する最高温度であり、第２高温度よりも高い例えば８０℃に設定され、この第２高温度Ｔ３に達すると水質維持運転が停止して温水の温度上昇が停止する。このように水質維持運転時の温水の温度を通常運転時の温水の温度よりも高く設定することによって、温水を使用しないときの水質の低下を効果的に抑えることができる。
【００２５】
この貯湯システムにおいては、貯湯槽８内の上部及び下部に、収容された温水の温度を検出するための第１及び第２温度センサ６２，６３が設けられ、また給湯流路４２には、温水の出湯を検知するための流量センサ６４が配設され、第１及び第２温度センサ６２，６３並びに流量センサ６４の検出信号がシステム制御手段５６に送給される。また、システム制御手段５６からの制御信号がコージェネ装置２、インバータ１０、コージェネ用スイッチ１８手段及びヒータ用スイッチ手段５０に送給され、後述するように例えば水質維持運転が行われる。
【００２６】
次に、図１とともに図２及び図３を参照して、貯湯システムの水質維持運転について説明する。貯湯システムの通常運転時には、図２に示すように、システム制御手段５６は、貯湯槽８内の下部の温水の温度が第１高温度Ｔ２となるようにコージェネ装置２等を作動制御する。このとき、第２温度センサ６３が利用され、第２温度センサ６３の検出温度が第１高温度Ｔ２になると、貯湯槽８内の温水の加熱が終了する。
【００２７】
給湯流路４２を通しての温水の給湯が終了する、即ち流量センサ６４が温水の流れを検知しなくなる（例えば、図２の時刻ｔ１で給湯が終了する）と、タイマ５８が作動して計時を開始する（ステップＳ１）。そして、タイマ５８が所定設定時間、例えば４８時間を計時する前にカラン（図示せず）を開栓して貯湯槽８の温水を出湯する、即ち流量センサ６４が温水の流れを検知すると、ステップＳ２からステップＳ３を経てステップＳ４に進み、タイマ５８の計時がリセットされる。このように出湯が行われ、この出湯が終了すると、容易に理解される如く、図３のフローが再び開始され、ステップＳ１が実行される。
【００２８】
一方、貯湯槽８の温水が出湯されることなくタイマ５８が所定設定時間、例えば４８時間を計時すると、ステップ５に移行し、貯湯槽８内の上部の温水の温度が設定低温度Ｔ１以下か否かが判断される。このとき、第１温度センサ６２が利用され、第１温度センサ６２の検出温度が設定低温度Ｔ１、例えば４０℃以下になる（例えば、図２の時刻ｔ２にて温水の温度が設定低温度となる）と、システム制御手段５６は貯湯システムを水質維持運転し（ステップＳ６）、タイマ５８の計時がリセットされる（ステップＳ７）。この水質維持運転では、システム制御手段５６は、コージェネ装置２及びインバータ１０を運転して熱と電力を発生する。また、システム制御手段５６はヒータスイッチ手段５０（第１及び第２スイッチ４６，４８）を閉状態にし、発生した電力の全てを第１及び第２ヒータ４６，４８に供給する。このとき、冷却水循環ポンプ２６及び温水循環ポンプ３２も作動する。
【００２９】
この水質維持運転では、エンジン４からの冷却水が冷却水循環流路２２を通して循環され、また貯湯槽８内の温水が温水循環流路２４を通して循環され、熱交換器３４にて冷却水と温水との間での熱交換が行われ、熱交換により加熱された温水が貯湯槽８に戻される。また、第１及び第２ヒータ４６，４８が作動して貯湯槽８内の温水を加熱する。このように水質維持運転を行うことによって、貯湯槽８の温水の温度が上昇する。
【００３０】
そして、水質維持運転により貯湯槽８の下部の温水が第２高温度Ｔ３に達する（例えば、図２の時刻ｔ３にて温水が第２高温度Ｔ３に達する）と、ステップＳ８からステップＳ９に進み、上述した水質維持運転が終了する。このときには第２温度センサ６３が利用され、第２温度センサ６３が第２高温度Ｔ３に達すると、システム制御手段５６はコージェネ装置２、インバータ１０の作動を停止するとともに、コージェネ用スイッチ１８及びヒータ用スイッチ手段５０を開状態にし、更に冷却水循環ポンプ２６及び温水循環ポンプ２４の作動が停止する。この水質維持運転後は、貯湯槽８の温水は温度上昇されて水質低下し難い状態に維持され、かくして、温水の水質を良好な状態に保つことができる。この実施形態では、水質維持運転後は、通常運転における温度よりも高い第２高温度、例えば８０℃に達するようになるので、水質低下を一層抑えて良好な水質に維持することができる。
【００３１】
このような水質維持運転後は、ステップＳ９からステップＳ１に戻り、タイマ５８が再び計時を開始し、水質維持運転終了後にタイマ５８が所定設定時間を計時し、且つ貯湯槽８の上部の温水の温度が設定低温度Ｔ１以下になると、システム制御手段５６は再び貯湯システムの水質維持運転を行い、貯湯槽８内の温水が出湯しない場合、この水質維持運転が繰り返し遂行され、このように水質維持運転を行うことによって、貯湯槽８内の温水の水質を長期にわたって良好な状態に維持することができる。
【００３２】
尚、タイマ５８が所定設定時間を計時したが、貯湯槽８の温水が設定低温度より高い温度状態であるときに出湯すると、ステップＳ５からステップＳ１０を経てステップＳ４に進み、タイマ５８の計時がリセットされる。
【００３３】
次に、図４を参照して、本発明に従う貯湯システムの第２の実施形態について説明する。図４は、第２の実施形態の貯湯システムを示す簡略図である。尚、この第２の実施形態において、第１の実施形態と実質上同一の部材には同一の番号を付し、その説明を省略する。
【００３４】
図４において、この第２の実施形態では、温水循環流路２４に補助バーナ７２が配設され、補助バーナ７２の燃焼熱によって温水循環流路２４を流れる温水が加熱されるように構成されている。この第２の実施形態のその他の構成は、上述した第１の実施形態と実質上同一である。
【００３５】
この第２の実施形態の貯湯システムにおいても、第１の実施形態と同様に、給湯流路４２を通して温水の出湯が所定設定時間、例えば４８時間継続して行われず、且つ貯湯槽８内の上部の温水が設定低温度Ｔ１以下になると、システム制御手段５６は貯湯システムを水質維持運転する。即ち、システム制御手段５６は、コージェネ装置２、加熱ヒータ４４及び補助バーナ７２を水質維持運転する。この第２の実施形態における水質維持運転では、コージェネ装置２及びインバータ１０が運転されて熱と電力が発生され、この発生した電力が加熱ヒータ４４に供給され、また補助バーナ７２が燃焼される。従って、この水質維持運転時には、エンジン４の冷却水からの熱が熱交換器３４を介して温水循環流路２４を流れる温水に伝達されるとともに、温水循環流路２４を流れる温水が補助バーナ７２の燃焼熱により加熱され、このようにして加熱された温水が貯湯槽８に戻される。また、加熱ヒータ４４が作動して貯湯槽８内の温水を加熱する。このようにエンジン２の排熱、加熱ヒータ４４の熱及び補助バーナ７２の燃焼熱を利用して温水が加熱され、貯湯槽８の温水の温度が上昇する。そして、このようにして貯湯槽８の下部の温水が第２高温度Ｔ３に達すると、システム制御手段５６は上述した水質維持運転を終了する。従って、この第２の実施形態においても、第１の実施形態と同様の効果が達成される。
【００３６】
上述した第２の実施形態における水質維持運転においては、コージェネ装置２及び加熱ヒータ４４を作動させるとともに、補助バーナ７２を燃焼させているが、このような運転状態に限定されず、例えば補助バーナ７２のみを燃焼するようにしてもよく、或いは例えばコージェネ装置２及び加熱ヒータ４４を作動させるようにしてもよい。水質維持運転において補助バーナ７２のみを作動させる場合、その運転制御が簡単になるとともに、効率よく貯湯槽８内の温水を加熱することが可能となる。
【００３７】
以上、本発明に従う貯湯システムの各種実施形態について説明したが、本発明はかかる実施形態に限定されるものではなく、本発明の範囲を逸脱することなく種々の変形乃至修正が可能である。
【００３８】
例えば、第１の実施形態では、タイマ５８の設定時間と第１温度センサ６２の検知温度とを用い、温水の給湯が所定設定時間継続して行われず、且つ貯湯槽８の温水（この形態では上部の温水）の温度が設定低温度Ｔ１以下である場合に水質維持運転が行われるように構成しているが、このような構成に代えて、タイマ５８の設定時間のみを用い、温水の給湯が所定設定時間継続して行われない場合に水質維持運転が行われるように構成するようにしてもよい。
【００３９】
また、例えば、第１の実施形態では、通常運転における設定高温度よりも水質維持運転における設定高温度を高く設定し、貯湯槽８の温水（この形態では下部の温水）が第２高温度Ｔ３に達したときに水質維持運転を終了するように構成しているが、このような構成に代えて、通常運転及び水質維持運転における設定高温度を同一高温度に設定し、貯湯槽８の温水がこの設定高温度に達したときに水質維持運転を終了するようにしてもよい。また、温水の温度を検出するセンサも例えば第１温度センサ６２を共通に用いるようにしてもよい。
【００４０】
更に、例えば、上述した実施形態では、コージェネ装置２としてエンジン４と発電機６との組合せを用いているが、このようなものに限定されず、コージェネ装置２として燃料電池等を用いるようにしてもよい。
【００４１】
【発明の効果】
本発明の請求項１の貯湯システムによれば、温水の給湯が所定時間継続して行われず、且つ貯湯槽の第１温度センサの検知温度が設定低温度以下になると、システム制御手段は貯湯システムの水質維持運転を行うので、この水質維持運転によって、貯湯槽内での水質の低下が抑えられ、かくして、長期にわたって温水を良質な状態に維持することができる。また、水質維持運転のときに貯湯槽の温水の温度が第２高温度になるとこの水質維持運転が停止されるので、貯湯槽の温水が第２高温度まで上昇され、かくして、水質低下を一層効果的に抑えて良質な水質の維持を図ることができる。
【００４４】
また、本発明の請求項２の貯湯システムによれば、コージェネ装置及びその電力を利用する加熱ヒータを水質維持運転することによって、貯湯槽の温水の温度が上昇され、これによって、水質低下を抑えて温水の水質を維持することができる。
【００４５】
更に、本発明の請求項３の貯湯システムによれば、コージェネ装置、加熱ヒータ及び補助バーナを水質維持運転することによって、貯湯槽の温水の温度が上昇され、これによって、水質低下を抑えて温水の水質を維持することができる。
【図面の簡単な説明】
【図１】本発明に従う貯湯システムの第１の実施形態を示す簡略図である。
【図２】図１の貯湯システムにおける貯湯槽の温水の温度の変化状態を示す図である。
【図３】図１の貯湯システムにおける水質維持運転の動作を示すフローチャートである。
【図４】本発明に従う貯湯システムの第２の実施形態を示す簡略図である。
【符号の説明】
２  コージェネ装置
４  エンジン
６  発電機
８  貯湯槽
１０  インバータ
２２  冷却水循環流路
２４  温水循環流路
３４  熱交換器
４２  給湯流路
４４  加熱ヒータ
５０  ヒータ用スイッチ手段
５６  システム制御御手段
５８  タイマ
６２，６３  温度センサ
６４  流量センサ
７２  補助バーナ
【図１】
0003913052.tif 000002
【図２】
0003913052.tif 000003
【図３】
0003913052.tif 000004
【図４】
0003913052.tif 000005